(57)【要約】  本発明のボタン型二次電池は、第１ベース面の周縁に沿って第１側面が垂直に形成された第１缶；前記第１缶の第１ベース面よりさらに大きい直径を有する第２ベース面を有し、前記第２ベース面の周縁に沿って第２側面が垂直に形成され、この際、前記第２側面にはベントホールが打孔された第２缶；及び前記第１缶と第２缶とが結合されるとき、前記第１側面と第２側面との間に位置するガスケット；を含み、前記第１缶と第２缶は、第１側面が第２側面の内側に進入するように結合され、前記ガスケットがベントホールに挟まれるように変形されて第１缶と第２缶の固定がなされることを特徴とする。  本発明のボタン型二次電池の製造方法は、第１ベース面の周縁に沿って第１側面が垂直に形成された第１缶と、前記第１ベース面よりさらに大きい直径を有する第２ベース面を有し、前記第２ベース面の周縁に沿って第２側面が垂直に形成された第２缶とが結合された二次電池の製造方法において、前記第１缶を用意するステップ；前記第２缶を用意するステップ；前記第２缶の側面にベントホールを打孔する打孔ステップ；第１缶の第１側面と第２缶の第２側面との間にガスケットが位置し、前記ガスケットがベントホールと向い合うように前記第１缶と第２缶を結合させる結合ステップ；及び前記ガスケットがベントホールに挟まれるように前記ガスケットを変形させ、第１缶と第２缶を固定する固定ステップ；を含むことを特徴とする。
2021521613.tif 000002
【特許請求の範囲】
【請求項１】
第１ベース面の周縁に沿って第１側面が垂直に形成された第１缶；
前記第１缶の第１ベース面よりさらに大きい直径を有する第２ベース面を有し、前記第２ベース面の周縁に沿って第２側面が垂直に形成され、この際、前記第２側面にはベントホールが打孔された第２缶；及び
前記第１缶と第２缶が結合されるとき、前記第１側面と第２側面との間に位置するガスケット；を含み、
前記第１缶と第２缶は、第１側面が第２側面の内側に進入するように結合され、前記ガスケットがベントホールに挟まれるように変形されて第１缶と第２缶の固定がなされることを特徴とする二次電池。
【請求項２】
前記第１缶の第１側面は第１ベース面から上方に向かい、前記第２缶の第２側面は第２ベース面から下方に向かい、前記第２缶が前記第１缶の上側を覆うように結合されることを特徴とする、請求項１に記載の二次電池。
【請求項３】
前記第１缶と第２缶によって形成された空間の内部の圧力と、前記第１缶と第２缶の外部の圧力差に対応する大きさに前記ガスケットの変形がなされることを特徴とする、請求項１に記載の二次電池。
【請求項４】
前記ベントホールは、第２缶側面の周縁に沿って少なくとも二つ以上形成されたことを特徴とする、請求項１から請求項３のいずれか一項に記載の二次電池。
【請求項５】
前記第２缶は、平面上で円盤状を有し、前記ベントホールは、偶数個が形成され、それぞれは円盤の中心を基準に対称を成す対を有するように配置されたことを特徴とする、請求項４に記載の二次電池。
【請求項６】
前記第２缶は、平面上で円盤状を有し、前記円盤状の周縁を基準に前記ベントホールは、他の領域より特定の領域でさらに密集されるように配置されたことを特徴とする、請求項４に記載の二次電池。
【請求項７】
第１ベース面の周縁に沿って第１側面が垂直に形成された第１缶と、前記第１ベース面よりさらに大きい直径を有する第２ベース面を有し、前記第２ベース面の周縁に沿って第２側面が垂直に形成された第２缶とが結合された二次電池の製造方法であって、
前記第１缶を用意するステップ；
前記第２缶を用意するステップ；
前記第２缶の側面にベントホールを打孔する打孔ステップ；
第１缶の第１側面と第２缶の第２側面との間にガスケットが位置し、前記ガスケットがベントホールと向い合うように前記第１缶と第２缶を結合させる結合ステップ；及び
前記ガスケットがベントホールに挟まれるように前記ガスケットを変形させ、第１缶と第２缶を固定する固定ステップ；を含むことを特徴とする、二次電池の製造方法。
【請求項８】
前記固定ステップにおいて、前記ガスケットは、外部から前記ベントホールに陰圧（ｎｅｇａｔｉｖｅ  ｐｒｅｓｓｕｒｅ）が加えられると、前記ベントホールに挟まれるように変形されることを特徴とする、請求項７に記載の二次電池の製造方法。
【請求項９】
前記ベントホールに陰圧を加える前に、第１缶と第２缶の動きを固定させる臨時固定ステップ；をさらに含む、請求項８に記載の二次電池の製造方法。
【請求項１０】
前記ガスケットが第１缶側面の表面に付着された状態で陰圧が加えられることを特徴とする、請求項８に記載の二次電池の製造方法。
【請求項１１】
変形がなされるようになる前記ガスケットの一部領域は、他の領域より付着力が低下した状態で付着されるか、付着されていない状態で陰圧が加えられるようになることを特徴とする、請求項１０に記載の二次電池の製造方法。
【請求項１２】
変形がなされるようになる前記ガスケットの一部領域は、他の領域と厚さが異なって形成されたことを特徴とする、請求項１０に記載の二次電池の製造方法。
【請求項１３】
前記打孔ステップにおいて、前記ベントホールは、第２缶側面の周縁に沿って少なくとも二つ以上が形成されることを特徴とする、請求項７から請求項１２のいずれか一項に記載の二次電池の製造方法。
【発明の詳細な説明】
【技術分野】
【０００１】
本出願は、２０１８年７月６日付韓国特許出願第１０−２０１８−００７８９６６号に基づく優先権の利益を主張し、当該韓国特許出願等の文献に開示された全ての内容は本明細書の一部として含まれる。
【０００２】
本発明は、二次電池とその製造方法に関し、さらに詳しくは、内部空間を増大させてさらに大きい電極組立体を搭載することで、容量を増大させることができるボタン型二次電池及びその製造方法に関する。
【背景技術】
【０００３】
通常、コイン型電池、ボタン型電池などでも通用されるボタン型電池は、薄いボタンの形状を有し、リモコン、時計、おもちゃ、コンピュータ部品など多くの機器で広く用いられている。
【０００４】
このようなボタン型電池は、主に再充電が不可能な一次電池で製造されたが、最近、小型化機器の開発に合わせて充放電が可能な二次電池でも広く製造されている。そして、ボタン型二次電池もまた、円筒型またはパウチ型二次電池のようにケース内に電極組立体と電解質が内蔵されて繰り返して充放電が可能な構造を有する。
【０００５】
図１は、従来のボタン型二次電池の断面図である。図示されているように、ボタン型二次電池の外部姿（第１缶と第２缶と結合された姿）は、シャーレ（Ｓｃｈａｌｅ）状と類似して平らな円筒形状を有し、ただし、上側が開口された第１缶１の内部に電極組立体４が安着すると、前記電極組立体４の周辺部品（図示せず）が装着されて（液状型電解液を含む）電解質が注入された後、前記第１缶１の上側を第２缶２が覆うように構成される。
【０００６】
このとき、前記第１缶１の側面の上側縁部と第２缶２の縁部には、互いに嵌め込まれるクランプ１ａ、２ａがそれぞれ形成される。すなわち、前記第１缶１と第２缶２は、第２缶２が電極組立体４上に置かれるとき、互いに噛み合って結合されるように縁部が折り曲がってそれぞれクランプ１ａ、２ａが形成され、ただし、それぞれのクランプ１ａ、２ａは、第２缶２が進入する際に発生する圧力によって弾性変形した状態で、第２缶２の進入が完了すると、弾性復元して図示されたように締結がなされる。
【０００７】
そして、内部を密閉させるためのゴム材質のガスケット３が前記クランプ１ａ、２ａの間に挟まれるようになる。
【発明の概要】
【発明が解決しようとする課題】
【０００８】
一方、前記のようにクランプを用いた締結方式は、全高（電池の最下端から最上端部分までの高さ）に比べて第１缶１と第２缶２との間の内部空間の高さが低く形成され、電極組立体４の大きさが制限されるので、電池の全体積に比べての電池の容量を増大させ難いという問題があった。
【０００９】
したがって、本発明は、内部空間を従来の構造に比べてさらに大きく確保し、同一体積に比べての容量がさらに増加された（さらに大きい電極組立体を搭載できる）ボタン型二次電池及びその製造方法を提供することに主たる目的がある。
【課題を解決するための手段】
【００１０】
前記のような目的を達成するための本発明は、内部空間をさらに増大させることができるボタン型二次電池及びその製造方法を提供する。
【００１１】
本発明に係るボタン型二次電池は、第１ベース面の周縁に沿って第１側面が垂直に形成された第１缶；前記第１缶の第１ベース面よりさらに大きい直径を有する第２ベース面を有し、前記第２ベース面の周縁に沿って第２側面が垂直に形成され、この際、前記第２側面にはベントホールが打孔された第２缶；及び前記第１缶と第２缶が結合されるとき、前記第１側面と第２側面との間に位置するガスケット；を含み、前記第１缶と第２缶は、第１側面が第２側面の内側に進入するように結合され、前記ガスケットがベントホールに挟まれるように変形されて第１缶と第２缶の固定がなされることを特徴とする。
【００１２】
本発明において、前記第１缶の第１側面は第１ベース面から上方に向かい、前記第２缶の第２側面は第２ベース面から下方に向かい、前記第２缶が前記第１缶の上側を覆うように結合される。
【００１３】
そして、前記第１缶と第２缶によって形成された空間の内部の圧力と、前記第１缶と第２缶の外部の圧力差に対応する大きさに前記ガスケットの変形がなされる。
【００１４】
本発明の実施例において、前記ベントホールは、第２缶側面の周縁に沿って少なくとも二つ以上形成されてよい。
【００１５】
例えば、前記第２缶は、平面上で円盤状を有し、前記ベントホールは、偶数個が形成され、それぞれは円盤の中心を基準に対称を成す対を有するように配置されてよい。
【００１６】
他の構成として、前記第２缶は、平面上で円盤状を有し、前記円盤状の周縁を基準に前記ベントホールは、他の領域より特定の領域でさらに密集されるように配置されてよい。
【００１７】
さらに、本発明に係るボタン型二次電池の製造方法は、第１ベース面の周縁に沿って第１側面が垂直に形成された第１缶と、前記第１ベース面よりさらに大きい直径を有する第２ベース面を有し、前記第２ベース面の周縁に沿って第２側面が垂直に形成された第２缶とが結合された二次電池の製造方法において、前記第１缶を用意するステップ；前記第２缶を用意するステップ；前記第２缶の側面にベントホールを打孔する打孔ステップ；（電極組立体及び電解質などが装着された後に）第１缶の側面と第２缶の側面との間にガスケットが位置し、前記ガスケットがベントホールを覆うように前記第１缶と第２缶を結合させる結合ステップ；及び前記ガスケットがベントホールに挟まれるように前記ガスケットを変形させ、第１缶と第２缶を固定する固定ステップ；を含むことを特徴とする。
【００１８】
前記固定ステップにおいて、前記ガスケットは、外部から前記ベントホールに陰圧（ｎｅｇａｔｉｖｅ  ｐｒｅｓｓｕｒｅ）が加えられると、前記ベントホールの外部に突出されるように変形される。
【００１９】
本発明では、前記ベントホールに陰圧を加える前に、第１缶と第２缶の動きを固定させる臨時固定ステップ；をさらに含む。
【００２０】
そして、前記ガスケットが第１缶側面の表面に付着された状態で陰圧が加えられる。
【００２１】
さらに、（第１缶側面の変形が発生しないように）変形がなされるようになる前記ガスケットの一部領域は、他の領域より付着力が低下した状態で付着されるか、付着されていない状態で陰圧が加えられるようになってよい。
【００２２】
また、（陰圧が集中されて変形がさらに容易に誘発され得るように）変形がなされるようになる前記ガスケットの一部領域は、他の領域と厚さが異なって形成されてよい。
【００２３】
前記打孔ステップにおいて、前記ベントホールは、第２缶側面の周縁に沿って少なくとも二つ以上が形成されてよい。
【発明の効果】
【００２４】
前述したような構成を有する本発明は、第１缶と第２缶の締結地点が電池の上側から側面に移動され、全高に比べての内部空間の高さを増大させることができるので、体積が同一である場合、よりさらに大きい容量の電極組立体の搭載が可能であるという効果がある。
【００２５】
本発明では、ガスケットがベントホールに挟まれるように変形されて第１缶と第２缶の固定がなされるので、第１缶と第２缶で表面を滑らかに構成することができる。
【００２６】
前記ガスケットの変形は、第１缶と第２缶によって形成された空間の内部の圧力と、前記第１缶と第２缶の外部の圧力差に対応する大きさでなされるので、ストレス及び／又は不要な変形を誘発する物理的圧力が第１缶と第２缶に加えられない。
【００２７】
前記ベントホールは、少なくとも二つ以上形成されてよいので、要求されるスペックに応じて締結力の調節が可能である。
【００２８】
さらに、前記ベントホールは、特定の領域でさらに密集されるように配置され得るので、電極リードなどが更に付着される特定の位置で締結力をさらに増大させることができる。
【００２９】
また、変形がなされるようになる前記ガスケットの一部領域は、他の領域より付着力が低下した状態で付着されるか、付着されていない状態で陰圧が加えられるので、第１缶側面の変形を発生させないこともできる。
【００３０】
そして、変形がなされるようになる前記ガスケットの一部領域は、他の領域と厚さがさらに厚く形成されるので、より容易に変形がなされ得る。
【図面の簡単な説明】
【００３１】
【図１】従来のボタン型二次電池の縦断面を単純化して示した断面図である。
【図２】本発明の実施例によるボタン型二次電池の縦断面を単純化して示した断面図である。
【図３ａ】第１缶に第２缶が安着した状態で陰圧が加えられる前と後の姿を示し、ただし、ガスケットとともに第１缶の側面に変形が発生した姿が示された断面図である。
【図３ｂ】第１缶に第２缶が安着した状態で陰圧が加えられる前と後の姿を示し、ただし、ガスケットの変形のみ発生した姿が示された断面図である。
【図４ａ】陰圧が加えられるとき、内部空気が抜け出る経路を示した断面図である。
【図４ｂ】陰圧が加えられるとき、変形が発生する領域が他の領域よりさらに厚く形成されたガスケットが装着された姿が示された断面図である。
【図５】第２缶にベントホール等が打孔され得る領域が示された底面図である。
【発明を実施するための形態】
【００３２】
以下、図面に基づいて本発明に対して本発明が属する技術分野で通常の知識を有する者が容易に実施できるように詳しく説明する。しかし、本発明は、いくつか異なる形態に具現されてよく、ここで説明する実施形態に限定されない。
【００３３】
本発明を明確に説明するために説明と関係のない部分は省略し、明細書の全体にわたり同一または類似の構成要素に対しては同一の参照符号を付ける。
【００３４】
また、本明細書及び特許請求の範囲に用いられた用語や単語は、通常的且つ辞典的な意味に限定して解釈されてはならず、発明者は自身の発明を最良の方法で説明するために用語の概念を適宜定義することができるという原則に即し、本発明の技術的思想に適合する意味と概念に解釈されなければならない。
【００３５】
本発明は、従来の構造に比べ、さらに大きい内部空間を有するボタン型二次電池及びその製造方法を提供し、以下、図面を参照して本発明の実施形態をさらに詳しく説明する。
【００３６】
実施例１
本発明は、従来の構造に比べ、内部空間が増加されたボタン型二次電池を実施例１として提供する。本発明の二次電池は、第１缶１０と第２缶２０との間に配置されるガスケット３０が、第２缶２０に形成されたベントホール２３に挟まれて固定がなされることを特徴とする。
【００３７】
図２を参照すれば、前記第１缶１０は、所定の大きさを有する円形であって、第１ベース面１１が形成され、前記第１ベース面１１の周縁に沿って第１側面１２が垂直に形成された形状を有する。そして、前記第２缶２０は、第１缶１０の第１ベース面１１よりさらに大きい直径を有する円形の第２ベース面２１を有し、前記第２ベース面２１の周縁に沿って第２側面２２が垂直に形成され、ただし、前記第２側面２２にはベントホール２３が打孔された構造を有する。すなわち、第１缶１０と第２缶２０はシャーレ（Ｓｃｈａｌｅ）と類似して平らな円筒形状を有し、ただし、第２缶２０が少しより広い面積を有し、ベントホール２３が更に打孔された構造を有する。
【００３８】
本実施例において、前記第１缶１０の第１側面１２は第１ベース面１１から上方に向かい、前記第２缶２０の第２側面２２は第２ベース面２１から下方に向かい、前記第２缶２０が前記第１缶１０の上側を覆うように結合される。このとき、前記第１缶１０は、第１側面１２の外周面に（リング状を有する）ガスケット３０が挟まれた状態で第２缶２０と結合され、前記ガスケット３０は第１缶１０と第２缶２０が結合されると、第１側面１２と第２側面２２との間に位置することになる。参考までに、このとき、前記ガスケット３０は、接着剤を介して一部分が又は全体が、第１側面１２に付着された状態であってよい。
【００３９】
そして、前記第１側面１２が第２側面２２の内側に進入された状態で、第１側面１２の外周面に結合されたガスケット３０は、第２側面２２の内周面に向い合うことになる。このとき、第２側面２２に形成されたベントホール２３を介してガスケット３０は露出されるので、前記ベントホール２３に陰圧（ｎｅｇａｔｉｖｅ  ｐｒｅｓｓｕｒｅ）が加えられると、ガスケット３０は、一部分がベントホール２３に挟まれるように変形がなされる。
【００４０】
すなわち、前記第１缶１０と第２缶２０によって形成された空間の内部の圧力と、前記第１缶１０と第２缶２０の外部の圧力差に対応する大きさに前記ガスケット３０の変形がなされ、第１缶１０と第２缶２０の固定がなされる。
【００４１】
さらに、本発明の実施例において、図面は、ベントホール２３が一つであるものに示されたが、前記ベントホール２３は、第２缶２０の側面２２の周縁に沿って少なくとも二つ以上形成されてよい。例えば、前記第２缶２０は、平面上で円盤状を有し、図５に示すように、前記ベントホール２３は偶数個が形成され、それぞれは円盤の中心を基準に対称を成す対を有するように配置されてよい（図５のｉ、ｉｉ、ｉｉｉ参照）。参考までに、図５は、第２缶２０を上から下に、または下から上に眺めたとき、ベントホール２３が形成され得る位置を示したものであって、ベントホール２３が形成された部分における第２缶の横断面図である。
【００４２】
他の構成として、前記第２缶２０は、平面上で円盤状を有し、前記円盤状の周縁を基準に前記ベントホール２３は、他の領域より特定の領域でさらに密集されるように配置されてよい（図５のｉｖ、ｖ参照）。
【００４３】
実施例２
さらに、本発明は、前記のような構成のボタン型二次電池を提供する製造方法を実施例２として提供する。
【００４４】
本発明に係る製造方法は、第１ベース面１１の周縁に沿って第１側面１２が垂直に形成された第１缶１０を用意する（提供する）ステップと、前記第１ベース面１１よりさらに大きい直径を有する第２ベース面２１を有し、前記第２ベース面２１の周縁に沿って第２側面２２が垂直に形成された第２缶２０を用意する（提供する）ステップから始まる。
【００４５】
前記第１缶１０と第２缶２０は、従来の公知された成形方法で提供され得るので、ここで詳細な説明は省略される。そして、提供された第２缶２０は、第２側面２２に所定の大きさと個数でベントホール２３の打孔が行われる。前記ベントホール２３の打孔は、第２缶２０の材質によってパンチングまたはドリリングなどのような公知の方法で行われてよい。
【００４６】
そして、第１側面１２が上方に向かうように置かれた状態で、前記第１缶１０内に電極組立体が安着して電解質などが追加的に装着された後、第２側面２２が下方に向かうように置かれた状態で、第２缶２０が第１缶１０の上側を覆う。このとき、第２缶２０が第１缶１０を覆う前に、前記第１缶１０には第１側面１２の外周面に固定されるようにガスケット３０が結合される。前記ガスケット３０は、第１缶１０に電極組立体が安着する前に結合されてもよく、安着した後に結合されてもよく、接着材などを介して第１側面１２に付着されるか、熱融着のような方法で付着されてよい。
【００４７】
したがって、第１缶１０と第２缶２０の結合がなされると、第１側面１２と第２側面２２との間にガスケット３０が位置し、前記ガスケット３０は、ベントホール２３と向い合うようになる（ベントホールの外部からみたとき、前記ベントホールを介してガスケットが外部に露出される）。
【００４８】
そして、第１缶１０と第２缶２０を固定させるために、前記ガスケット３０の変形がなされる。本発明の実施例では、図３ａ、３ｂに示すように、第１缶１０と第２缶２０が平らな定盤５０上に上げられた状態で、動きが固定されるように上下左右に圧力が加えられたまま（または固定された位置に挟まれるか、専用ブラケットなどに締結されて動きが制限されたまま）、第２缶２０のベントホール２３に真空ホース４０を連結すると、第１缶１０と第２缶２０の内部に陰圧（ｎｅｇａｔｉｖｅ  ｐｒｅｓｓｕｒｅ）が形成されて変形がなされる。
【００４９】
このとき、第１缶１０と第２缶２０の内部空間は、電極組立体及び電解質が充填された状態なので陰圧が作用しても支持される反面、第１側面１２と第２側面２２との間の空間は、陰圧が作用する地点であって、支持力が相対的に弱いため変形が発生する。陰圧により変形が発生するとき、図３ａに示すように、第１側面１２の一部分がガスケット３０と共に変形されることもあり、又は、図３ｂに示すように、第１側面１２の変形なしにガスケット３０のみ変形がなされることもある。
【００５０】
このような差は、作用する陰圧の大きさと陰圧が作用する面積は勿論のこと、ガスケット３０と第１側面１２との間の付着力、第１缶１０の材質などによって決定され、要求される設計仕様によって異なってデザインされ得る。さらに、図３ａのように第１側面１２の一部の変形がなされる場合には、第１側面１２に（焼成または弾性）変形を増大させるために局所的に溝（ｇｒｏｏｖｅ）などが形成されてよい。具体的に、溝は、第１側面１２で折曲げまたはベンディングが発生する部分に局所的に形成されてよい。また、圧力が集中されてガスケット３０の変形がなされる部分で、ガスケット３０が第１側面１２にさらに大きい接着力で接着されるように構成されてよい。その反面、図３ｂのように第１側面１２の変形が発生せず、ガスケット３０の変形のみなされる場合には、ガスケット３０の変形がなされる特定の部分で、第１側面１２とガスケット３０の接着力を他の所より低くセッティングすることが好ましい。
【００５１】
図４ａに示すように、第１側面１２と第２側面２２との間で空気の移動する通路は、第１缶１０と第２缶２０の内部で他の所より狭く形成されるが、作用する陰圧が小さいか、第１側面１２と第２側面２２との間の空間が大きいと、十分な変形が発生しないことがある。したがって、ガスケット３０がベントホール１０に挟まれて固定され得る程度に十分な変形がなされ得るよう、第１側面１２と第２側面２２との間の距離は充分近接しなければならず、加えられる陰圧は充分大きくなければならない。すなわち、さらに広い断面を流れる流体がさらに狭い断面を流れると、流体の流動速力は増加し、この際、内部圧力が低くなるベルヌーイの原理（Ｂｅｒｎｏｕｌｌｉ'ｓ  ｔｈｅｏｒｅｍ）によって陰圧が加えられ、空気が流動する際に第１側面１２と第２側面２２との間の圧力は、他の所より相対的に低くなるようになり、ただし、第１缶１０と第２缶２０は固定された状態なので、ガスケット３０はベントホール２３に挟まれる方向（第１側面と第２側面が互いに密着されようとする方向）に圧力が作用して変形がなされる。参考までに、ベントホール２３が複数個である場合には、陰圧が加えられるとき、当該ベントホール２３を除いた残りは圧力漏れが発生しないように（別途の器具などを介して）塞ぐ状態で、当該ベントホール２３に陰圧を加えることが好ましい。
【００５２】
さらに、製造工程上の問題または他の理由で、第１側面１２と第２側面２２との間の距離がさらに大きく形成される場合には、図４ｂに示すように、（第１側面と第２側面との間の距離を狭めて陰圧が集中される効果が誘発され得るように）ガスケット３０の一部分がベントホール２３に向かって突出される形状を有するように構成されてよい。すなわち、前記ガスケット３０は、第１側面１２と第２側面２２との間の距離によって、又は、陰圧の大きさやベントホール２３の大きさなどによって、一部分の厚さがさらに厚くなるように製造されてよい。
【００５３】
結論として、本発明の実施例による製造方法では、陰圧が加えられる前に第１缶１０と第２缶２０の動きが遮断され（ガスケットによって固定される前に臨時に）仮固定された状態でなされ、ただし、第１缶１０と第２缶２０の大きさや陰圧の強度などによって第１缶１０の材質、第１缶１０とガスケット３０の接着力、ガスケット３０の厚さなどが異なって設計され得る。
【００５４】
そして、（弾性または焼成）変形されたガスケット３０は、（滑らかな外部表面を維持するため）ベントホール２３から突出される必要はないが、挟まれた状態を維持しなければならない。また、一定部分突出されたとしても、滑らかな外部表面を維持するように突出された部分は切断されてよく、固定力を増大させるように突出された状態で（ガスケットの変形された部分が第２缶に堅固に固定されるように）接着剤などが更に塗布されてよい。
【００５５】
一方、前記で説明されたように、前記打孔ステップにおいてベントホール２３は、第２缶２０の側面２２の周縁に沿って複数個が打孔されてよい。すなわち、図５に示すように、互いに向い合う方向で対を成すように構成（ｉ、ｉｉ、ｉｉｉ参照）されるか、特定の方向への締結力を増大させるように一側に偏重されるように構成（ｉｖ、ｖ参照）されてもよい。
【００５６】
前述したような構成を有する本発明は、第１缶１０と第２缶２０の締結地点が電池の上側から側面に移動され、全高に比べての内部空間の高さを増大させることができるので、よりさらに大きい容量の電極組立体の搭載が可能であり、ガスケット３０がベントホール２３に挟まれるように変形され、第１缶１０と第２缶２０の固定がなされるので、第１缶１０と第２缶２０の外部表面を滑らかに構成することができる。
【００５７】
そして、前記ガスケット３０の変形は、第１缶１０と第２缶２０によって形成された空間の内部の圧力と、前記第１缶１０と第２缶２０の外部の圧力差に対応する大きさでなされるので、ストレス及び／又は不要な変形を誘発する物理的圧力が第１缶１０と第２缶２０に加えられず、前記ベントホール２３は、少なくとも二つ以上形成され得るので、要求されるスペックに応じて締結力の調節が可能である。
【００５８】
また、変形がなされるようになる前記ガスケット３０の一部領域は、他の領域より付着力が低下した状態で付着されるか、付着されていない状態で陰圧が加えられるので、第１缶１０の側面１２の変形を発生させないこともできる。そして、変形がなされるようになる前記ガスケット３０の一部領域は、他の領域と厚さがさらに厚く形成されるので、より容易に変形がなされ得る。
【００５９】
以上で本発明は、たとえ限定された実施例と図面によって説明されたとしても、本発明はこれによって限定されず、本発明が属する技術分野で通常の知識を有する者によって本発明の技術思想と下記に記載される特許請求の範囲の均等範囲内で多様な実施が可能である。
【図１】
2021521613.tif 000003
【図２】
2021521613.tif 000004
【図３ａ】
2021521613.tif 000005
【図３ｂ】
2021521613.tif 000006
【図４ａ】
2021521613.tif 000007
【図４ｂ】
2021521613.tif 000008
【図５】
2021521613.tif 000009
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
第１ベース面の周縁に沿って第１側面が垂直に形成された第１缶；
前記第１缶の第１ベース面よりさらに大きい直径を有する第２ベース面を有し、前記第２ベース面の周縁に沿って第２側面が垂直に形成され、この際、前記第２側面にはベントホールが打孔された第２缶；及び
前記第１缶と第２缶が結合されるとき、前記第１側面と第２側面との間に位置するガスケット；を含み、
前記第１缶と第２缶は、第１側面が第２側面の内側に進入するように結合され、前記ガスケットがベントホールに挟まれるように変形されて第１缶と第２缶の固定がなされる、二次電池。
【請求項２】
前記第１缶の第１側面は第１ベース面から上方に向かい、前記第２缶の第２側面は第２ベース面から下方に向かい、前記第２缶が前記第１缶の上側を覆うように結合される、請求項１に記載の二次電池。
【請求項３】
前記第１缶と第２缶によって形成された空間の内部の圧力と、前記第１缶と第２缶の外部の圧力差に対応する大きさにより前記ガスケットの変形がなされる、請求項１または請求項２に記載の二次電池。
【請求項４】
前記ベントホールは、第２缶側面の周縁に沿って少なくとも二つ以上形成された、請求項１から請求項３のいずれか一項に記載の二次電池。
【請求項５】
前記第２缶は、平面上で円盤状を有し、前記ベントホールは、偶数個が形成され、それぞれは円盤の中心を基準に対称を成す対を有するように配置された、請求項４に記載の二次電池。
【請求項６】
前記第２缶は、平面上で円盤状を有し、前記円盤状の周縁を基準に前記ベントホールは、他の領域より特定の領域でさらに密集されるように配置された、請求項４に記載の二次電池。
【請求項７】
第１ベース面の周縁に沿って第１側面が垂直に形成された第１缶と、前記第１ベース面よりさらに大きい直径を有する第２ベース面を有し、前記第２ベース面の周縁に沿って第２側面が垂直に形成された第２缶とが結合された二次電池の製造方法であって、
前記第２缶の側面にベントホールを打孔する打孔ステップ；
第１缶の第１側面と第２缶の第２側面との間にガスケットが位置し、前記ガスケットがベントホールと向い合うように前記第１缶と第２缶を結合させる結合ステップ；及び
前記ガスケットがベントホールに挟まれるように前記ガスケットを変形させ、第１缶と第２缶を固定する固定ステップ；を含む、二次電池の製造方法。
【請求項８】
前記固定ステップにおいて、前記ガスケットは、外部から前記ベントホールに陰圧（ｎｅｇａｔｉｖｅ  ｐｒｅｓｓｕｒｅ）が加えられると、前記ベントホールに挟まれるように変形される、請求項７に記載の二次電池の製造方法。
【請求項９】
前記ベントホールに陰圧を加える前に、第１缶と第２缶の動きを固定させる臨時固定ステップ；をさらに含む、請求項８に記載の二次電池の製造方法。
【請求項１０】
前記ガスケットが第１缶側面の表面に付着された状態で陰圧が加えられる、請求項８または請求項９に記載の二次電池の製造方法。
【請求項１１】
変形がなされるようになる前記ガスケットの一部領域は、他の領域より付着力が低下した状態で付着されるか、付着されていない状態で陰圧が加えられるようになる、請求項１０に記載の二次電池の製造方法。
【請求項１２】
変形がなされるようになる前記ガスケットの一部領域は、他の領域と厚さが異なって形成された、請求項１０に記載の二次電池の製造方法。
【請求項１３】
前記打孔ステップにおいて、前記ベントホールは、第２缶側面の周縁に沿って少なくとも二つ以上が形成される、請求項７から請求項１２のいずれか一項に記載の二次電池の製造方法。
【手続補正２】
【補正対象書類名】明細書
【補正対象項目名】００１３
【補正方法】変更
【補正の内容】
【００１３】
そして、前記第１缶と第２缶によって形成された空間の内部の圧力と、前記第１缶と第２缶の外部の圧力差に対応する大きさにより前記ガスケットの変形がなされる。
【手続補正３】
【補正対象書類名】明細書
【補正対象項目名】００４０
【補正方法】変更
【補正の内容】
【００４０】
すなわち、前記第１缶１０と第２缶２０によって形成された空間の内部の圧力と、前記第１缶１０と第２缶２０の外部の圧力差に対応する大きさにより前記ガスケット３０の変形がなされ、第１缶１０と第２缶２０の固定がなされる。
【手続補正４】
【補正対象書類名】明細書
【補正対象項目名】００５０
【補正方法】変更
【補正の内容】
【００５０】
このような差は、作用する陰圧の大きさと陰圧が作用する面積は勿論のこと、ガスケット３０と第１側面１２との間の付着力、第１缶１０の材質などによって決定され、要求される設計仕様によって異なってデザインされ得る。さらに、図３ａのように第１側面１２の一部の変形がなされる場合には、第１側面１２に（焼成または弾性）変形を増大させるために局所的に溝（ｇｒｏｏｖｅ）などが形成されてよい。具体的に、溝は、第１側面１２で折曲げまたはベンディングが発生する部分に局所的に形成されてよい。また、圧力が集中してガスケット３０の変形がなされる部分で、ガスケット３０が第１側面１２にさらに大きい接着力で接着されるように構成されてよい。その反面、図３ｂのように第１側面１２の変形が発生せず、ガスケット３０の変形のみなされる場合には、ガスケット３０の変形がなされる特定の部分で、第１側面１２とガスケット３０の接着力を他の所より低くセッティングすることが好ましい。
【国際調査報告】
2021521613.tif 000010
2021521613.tif 000011
2021521613.tif 000012
2021521613.tif 000013